(57)【要約】      （修正有）【課題】グランドに配置されるハードルを所定位置に正確に、迅速に、かつ容易に配置するために使用される巻尺のテープ構造を提供する。【解決手段】巻尺のテープは、単位メモリが表示される表面の裏の裏面にマークを表示するものからなり、マークは複数の色違いの色マークを異なるスタート位置から所定の等間隔に表示されている。色マークは赤，橙，黄，緑，青，紫からなり、赤マークはスタート位置から５ｍで間隔が５ｍのものからなり、橙マークはスタート位置が５．５ｍで間隔の５．５ｍのものからなり、黄マークはスタート位置が６．０ｍで間隔が６ｍのものからなり、緑マークはスタート位置が６．５ｍで間隔が６．５ｍのものからなり、紫マークはスタート位置が７．５ｍで間隔が７．５ｍのものからなるのが好ましい。【選択図】図３
0003201548.tif 000002
【実用新案登録請求の範囲】
【請求項１】
グランド等において使用目的のために複数個並べられるハードルの如き部品を所定の間隔で正確な位置に配置するために使用される巻尺のテープ構造であって、該テープは、通常の単位メモリが表示される表面の裏の裏面にマークを表示するものからなり、該マークは複数の色違いの色マークを異なるスタート位置から所定の等間隔に表示したものからなることを特徴とする巻尺のテープ構造。
【請求項２】
前記色マークが赤，橙，黄，緑，青，紫からなり、赤マークはスタート位置から５ｍで間隔が５ｍのものからなり、橙マークはスタート位置が５．５ｍで間隔の５．５ｍのものからなり、黄マークはスタート位置が６．０ｍで間隔が６ｍのものからなり、緑マークはスタート位置が６．５ｍで間隔が６．５ｍのものからなり、紫マークはスタート位置が７．５ｍで間隔が７．５ｍのものからなることを特徴とする請求項１に記載の巻尺のテープ構造。
【考案の詳細な説明】
【技術分野】
【０００１】  本考案は、通常使用されている巻尺のテープの裏面にハードル等の部品を所定の間隔に正確に迅速に配置するために使用される色違いマークをテープに等間隔に表示してなる巻尺のテープ構造に関する。
【背景技術】
【０００２】  巻尺はそのテープを用いて比較的距離のある位置にあるものの基点からの距離を測定したり、複数部品の間隔を測定したりする用途に使用されるもので取扱性のよい道具として従来より広く使用されている。
その構造としてはケースとこれに巻き込まれている長寸のテープとからなり、ケースの形状は各種のものがあり、テープも各種のものがあるがテープは一般に細長のものからなり、表面には単位メモリが表示されるものからなり、例えば、「特許文献１」の如き全体形状のものやそのテープとしては「特許文献２」や「特許文献３」の如きものがある。
【先行技術文献】
【特許文献】
【０００３】
【特許文献１】登録実用新案第３０２７４６３号（図１）
【特許文献２】特開２００４−２２６１２５号（図１）
【特許文献３】特開２００３−２５７５１１号（図１）
【考案の概要】
【考案が解決しようとする課題】
【０００４】  しかしながら、「特許文献１」，「特許文献２」，「特許文献３」は巻尺やそのテープの構造については詳述に開示されているがテープに表示されるマークについてはいずれも特別な内容が記録されていない。また、出願人の調査によると先行技術としての巻尺テープには本考案の如く表示されているマークに特徴を有するものは見当らない。
一方、例えば、グランドに並設されているハードルの如きものは競技前に正確な位置に配置されることが必要となる。しかしながら、ハードルの如き部品を正確な位置に配置するには通常巻尺が使用されるがその際には基準の単位マークを使用することが一般に行われている。しかしこの方法では手間がかかり、かつ正確な位置付けを行うにはかなりの努力が必要となり、時間もかかる問題点があった。【０００５】  本考案は、以上の問題を解決するために考案されたものであり、ハードル等の部品をグランド等に正確に迅速に配置出来る巻尺のテープ構造を提供することを目的とする。
【課題を解決するための手段】
【０００６】  本考案は、以上の目的を達成するために、請求項１の考案は、グランド等において使用目的のために複数個並べられるハードルの如き部品を所定の間隔で正確な位置に配置するために使用される巻尺のテープ構造であって、該テープは、通常の単位メモリが表示される表面の裏の裏面にマークを表示するものからなり、該マークは複数の色違いの色マークを異なるスタート位置から所定の等間隔に表示したものからなることを特徴とする。【０００７】  また、請求項２の考案は、前記色マークが赤，橙，黄，緑，青，紫からなり、赤マークはスタート位置から５ｍで間隔が５ｍのものからなり、橙マークはスタート位置が５．５ｍで間隔の５．５ｍのものからなり、黄マークはスタート位置が６．０ｍで間隔が６ｍのものからなり、緑マークはスタート位置が６．５ｍで間隔が６．５ｍのものからなり、紫マークはスタート位置が７．５ｍで間隔が７．５ｍのものからなることを特徴とする。
【考案の効果】
【０００８】  本考案の請求項１の巻尺のテープ構造によれば、巻尺のテープには色違いごとに等間隔のマークが表示され、ハードル等の部材は色違いのマークの内でハードルの位置決めに必要な色のマークを基にしてハードルの位置を決めればよく、ハードルの配置決めが正確に、かつ迅速に容易に行われる。また、色違いのものが複数あるため目的に応じてその部品の配置に必要な色のマークを使用すればよく、各種の部品の配置が正確に、迅速に、かつ容易に行われる。また、実施に当り特別な費用を有するものではない。【０００９】  また、請求項２の巻尺のテープ構造はこの考案の具体例の１つを示すもので考案の内容を理解するためのものである。なお、マークの色についてはこの請求項２の内容に限定するものではない。
【図面の簡単な説明】
【００１０】
【図１】本考案における巻尺の全体構造を示す斜視図。
【図２】図３に示すテープの表示内容をわかり易くまとめた一覧テープを示す図面。
【図３】本考案におけるテープに表示された色違いのマークを示す平面図。但し、この図面ではテープのマークは５０ｍまでしかないが勿論これに限定するものではない。
【考案を実施するための形態】
【００１１】  以下、本考案の巻尺のテープ構造の実施の形態を図面を基として詳述する。
【００１２】  図１は本考案の巻尺の全体構造の一例を示すものである。
図示のように巻尺１００はケース２とテープ１とからなる。ケース２としては図示のもの以外の各種のものがあるが細長でケース２にテープ１を多数回巻回される構造のものが一般的である。この巻尺１００の場合はケース２は十字社の形状のものからなり、把持部２ａやその中心に巻回用のハンドル２ｂが設けられているものからなる。また、テープ１はテープ１の先端にある金具１ｃを引き出し方向に引っ張ることによりケース２から引き出される。逆に金具１ｃを解放することによりテープ１はケース２に自動的に巻き込まれる構造のものからなる。
【００１３】  図１に示すようにテープ１の表面側には単位マーク１ｂがマークされ、通常はこの単位マーク１ｂを用いて寸法測定や位置決め等が行われる。
【００１４】  本考案の巻尺のテープ構造１００はテープ１の裏面に表示されるマーク１ａからなる。
その構造は図３に示したものからなり、図２に示す間隔で表示されるマーク１ａからなる。このマーク１ａには本実施例の場合は６色のものからなり、具体的には赤，橙，黄，緑，青，紫からなる。また、夫々の色におけるマーク間の間隔は図２の表に示すもからなる。
【００１５】  例えば、赤色のマークについては図３に示すように、端部（０ｍ）の位置から５ｍ離れた位置に最初のマークが表示され、間隔５ｍで次々のマークが表示される。同様に橙色のものは端部から５．５ｍの位置に最初のマークがあり、以下、次々に５．５ｍの間隔で表示される。また、同様に黄色は６．０ｍの位置から６．０ｍ間隔で、緑は６．５ｍの位置から６．５ｍの間隔で、青色は７．０ｍの位置から７ｍの間隔で、紫色は７．５ｍの位置から７．５ｍの間隔で夫々表示される。
【００１６】  本考案の巻尺のテープ構造１００のテープ１は以上の構造のものからなるため、例えば、グランドにハードルを５ｍ間隔で配置しようとする場合には単位マーク１ｂを用いてその都度位置決めするものではなく、赤色のマークの位置にハードルを配置すればよく、その配置を正確に、迅速に、かつ容易に行うことが出来る。
【００１７】  本考案の巻尺のテープ構造１００は以上の説明の内容からなるが、テープ１の長さは図示以外のものでもよく、色も前記のものに限定するものではなく、その間隔も図２，図３のものに限定するものではない。
また、ケース２も図１に示す形状のものに限定するものではない。
【産業上の利用可能性】
【００１８】  本考案はケース及びテープを有するすべての巻尺に適用可能であり、その利用範囲は極めて広い。
【符号の説明】
【００１９】  １      テープ
１ａ    マーク
１ｂ    単位マーク
１ｃ    金具
２      ケース
２ａ    把持部
２ｂ    ハンドル
１００  巻尺のテープ構造
【図１】
0003201548.tif 000003
【図２】
0003201548.tif 000004
【図３】
0003201548.tif 000005
【手続補正書】
【提出日】平成27年9月11日(2015.9.11)
【手続補正１】
【補正対象書類名】明細書
【補正対象項目名】００１２
【補正方法】変更
【補正の内容】
【００１２】  図１は本考案の巻尺の全体構造の一例を示すものである。
図示のように巻尺１００はケース２とテープ１とからなる。ケース２としては図示のもの以外の各種のものがあるが細長でケース２にテープ１を多数回巻回される構造のものが一般的である。この巻尺１００の場合はケース２は十字形の形状のものからなり、把持部２ａやその中心に巻回用のハンドル２ｂが設けられているものからなる。また、テープ１はテープ１の先端にある金具１ｃを引き出し方向に引っ張ることによりケース２から引き出される。巻き込みは手動で行われる。勿論自動巻き込みも適用される。